(57)【要約】【課題】複数種類の薬をカップに一包化できる一包化治具および一包化方法を提供する。【解決手段】一包化治具１０は薬をカップ３００に案内する案内通路７０が形成された本体２０と、案内通路７０を開閉するシャッター８０とを備える。【選択図】図１
2019064713.tif 000002
【特許請求の範囲】
【請求項１】
薬をカップに案内する案内通路が形成された本体と、
前記案内通路を開閉するシャッターとを備える
一包化治具。
【請求項２】
複数の前記案内通路を備え、
前記シャッターは前記複数の案内通路の全部を一括して開閉する
請求項１に記載の一包化治具。
【請求項３】
前記シャッターは前記本体に対してスライドする
請求項１または２に記載の一包化治具。
【請求項４】
前記本体は前記シャッターのスライドを案内するガイドを含む
請求項３に記載の一包化治具。
【請求項５】
前記案内通路は前記本体を貫通する円形の孔を含む
請求項１〜４のいずれか一項に記載の一包化治具。
【請求項６】
前記シャッターが前記案内通路を閉じた状態において、前記薬を収容できるように上方に向けて開口する収容部が構成される
請求項１〜５のいずれか一項に記載の一包化治具。
【請求項７】
前記シャッターを操作する操作部をさらに備える
請求項１〜６のいずれか一項に記載の一包化治具。
【請求項８】
請求項１〜７のいずれか一項に記載の一包化治具を用いる一包化方法であって、
前記シャッターにより前記案内通路が閉じられた状態を形成する閉鎖工程と、
前記閉じられた前記案内通路に薬を投入する投入工程と、
前記案内通路の前記薬を監査する監査工程と、
前記監査工程の後に前記案内通路が開くように前記シャッターを移動させることにより前記薬をカップに案内する開放工程とを含む
一包化方法。
【発明の詳細な説明】
【技術分野】
【０００１】
本発明は複数種類の薬を一包化するために用いられる一包化治具、および、その治具を用いて複数種類の薬を一包化する一包化方法に関する。
【背景技術】
【０００２】
特許文献１は包装袋に収容する複数種類の薬を一包化する装置を開示している。
【先行技術文献】
【特許文献】
【０００３】
【特許文献１】特開２００１−３３５００２号公報
【発明の概要】
【発明が解決しようとする課題】
【０００４】
複数種類の薬を一包化するための容器としてカップを用いた場合、安定した形状を有するカップの性質を利用して、例えば多数のカップを積み重ねて管理する等の行為を実施できる。特許文献１の装置は複数種類の薬を一包化するための容器としてカップを用いることを想定していないため、複数種類の薬をカップに一包化できない。
【課題を解決するための手段】
【０００５】
(１)本発明に関する一包化治具は薬をカップに案内する案内通路が形成された本体と、前記案内通路を開閉するシャッターとを備える。
上記一包化治具によれば、カップに薬を案内する案内通路が設けられるため、複数種類の薬をカップに一包化できる。また、シャッターにより閉じられた案内通路に薬を投入した場合、投入された薬が案内通路に留まる。このため、カップに投入される前に薬の監査を実施できる。１種類毎に薬を案内通路に投入した場合には、薬の監査をより正確に実施できる。
【０００６】
(２)好ましい例では(１)に記載の一包化治具において、複数の前記案内通路を備え、前記シャッターは前記複数の案内通路の全部を一括して開閉する。
各案内通路に投入された薬の監査を実施した後に、各案内通路の薬を一括して対応するカップに案内できるため、一包化のための作業効率が向上する。
【０００７】
(３)好ましい例では(１)または(２)に記載の一包化治具において、前記シャッターは前記本体に対してスライドする。
このため、治具の構成を簡素化できる。
【０００８】
(４)好ましい例では(３)に記載の一包化治具において、前記本体は前記シャッターのスライドを案内するガイドを含む。
このため、一包化のための作業効率が向上する。
【０００９】
(５)好ましい例では(１)〜(４)のいずれか一項に記載の一包化治具において、前記案内通路は前記本体を貫通する円形の孔を含む。
このため、治具の構成を簡素化できる。
【００１０】
(６)好ましい例では(１)〜(５)のいずれか一項に記載の一包化治具において、前記シャッターが前記案内通路を閉じた状態において、前記薬を収容できるように上方に向けて開口する収容部が構成される。
このため、一包化治具の上方側から収容部を覗くことにより監査を実施できる。
【００１１】
(７)好ましい例では(１)〜(６)のいずれか一項に記載の一包化治具において、前記シャッターを操作する操作部をさらに備える。
このため、シャッターを容易に操作できる。
【００１２】
(８)本発明に関する一包化方法は上記(１)〜(７)のいずれか一項に記載の一包化治具を用いる一包化方法であって、前記シャッターにより前記案内通路が閉じられた状態を形成する閉鎖工程と、前記閉じられた前記案内通路に薬を投入する投入工程と、前記案内通路の前記薬を監査する監査工程と、前記監査工程の後に前記案内通路が開くように前記シャッターを移動させることにより前記薬をカップに案内する開放工程とを含む。
上記一包化方法によれば、上記(１)の一包化治具により得られる効果と同様の効果が得られる。
【発明の効果】
【００１３】
本発明に関する一包化治具および一包化方法によれば、複数種類の薬をカップに一包化できる。
【図面の簡単な説明】
【００１４】
【図１】実施形態の一包化装置の分解斜視図。
【図２】図１の一包化装置の斜視図。
【図３】図１の下層の平面図。
【図４】図１のシャッターの平面図。
【図５】図１の中間層の平面図。
【図６】図１の上層の平面図。
【図７】図１の補助層の平面図。
【図８】図２のＤ８−Ｄ８線に沿う断面図。
【図９】図１のシャッターが閉位置のときのシャッターおよび下層の平面図。
【図１０】図１のシャッターが閉位置のときの案内通路の平面図。
【図１１】図１のシャッターが開位置のときのシャッターおよび下層の平面図。
【図１２】図１のシャッターが開位置のときの操作部およびその周辺の拡大図。
【図１３】図８のシャッターが開位置のときの断面図。
【発明を実施するための形態】
【００１５】
(実施形態)
図１および図２に示される一包化装置１は、複数種類の薬４００(図８参照)をカップ３００に一包化するために用いられる。カップ３００を構成する材料は薬の保護に適した樹脂材料である。カップ３００は収容部３１０およびフランジ３２０に区分される。収容部３１０には、処方薬を収容する空間３１０Ｂ、および、空間３１０Ｂに対して薬４００を出し入れするための開口部３１０Ａが形成されている。フランジ３２０は開口部３１０Ａの周囲に設けられている。カップ３００には服用条件に従って分類される複数種類の薬４００(図８参照)が収容される。服用条件の一例は１日における服用時期、および、服用日数である。好ましい例では、１回の服用分の薬４００が１つのカップ３００の収容部３１０に収容される。
【００１６】
一包化装置１を構成する主な要素は一包化治具１０および台１００である。台１００の平面視の形状は長方形である。台１００の高さはカップ３００の高さよりも高い。台１００には、一包化治具１０を支持する治具支持部１１０、および、カップ３００を支持するカップ支持部１２０が設けられている。治具支持部１１０は台１００に対して一包化治具１０を位置決めする。カップ支持部１２０は台１００に対してカップ３００を位置決めする。一包化治具１０およびカップ３００の位置決めとは、例えば、台１００の平面視に規定される座標系における一包化治具１０およびカップ３００の位置を固定することである。一例では、治具支持部１１０は台１００に形成された複数の凹部１１１を含む。複数の凹部１１１のそれぞれに一包化治具１０の脚３１Ｂが挿入されることにより、一包化治具１０が位置決めされる。カップ支持部１２０は複数のカップ３００を個別に挿入できる複数の穴１２１を含む。穴１２１にカップ３００の収容部３１０が挿入されることにより、カップ３００が位置決めされる。カップ３００の収容部３１０が穴１２１に挿入された状態では、カップ３００のフランジ３２０の底面が台１００と接触することにより、カップ３００が台１００により支持される。複数のカップ３００は、個々に分離した状態、または、隣り合うカップ３００のフランジ３２０が連結部(図示略)により連結された状態で台１００に載せられる。好ましい例では、カップ３００同士を分離するためのガイドが連結部に設けられる。ガイドの例は切り込みまたはミシン目である。
【００１７】
複数の穴１２１は、台１００の短辺方向に沿う複数の列１２２に区分できる。複数の列１２２は台１００の長辺方向に並んでいる。一例では、複数の穴１２１の数は１人の服用者が一定期間に薬４００を服用する回数と同じである。一定期間は１日よりも長い期間であり、日、週、月、または、年を単位期間とする。１つの列１２２を構成する穴１２１の数は１人の服用者が１日に薬４００を服用する回数と同じである。複数の列１２２の数は一定期間を規定する単位期間の総数と同じである。単位期間が日であり、一定期間が複数の日である場合、複数の列１２２の数は複数の日と同じである。
【００１８】
一包化治具１０を構成する主な要素は本体２０およびシャッター８０である。本体２０およびシャッター８０を構成する材料は任意に選択できる。好ましい例では、作業者の負荷が軽減されるように軽量な樹脂材料が用いられる。その一例は、アクリル樹脂およびＡＢＳ樹脂である。本体２０を構成する主要な要素は下層３０、中間層４０、上層５０、および、補助層６０である。下層３０は箱である。中間層４０および上層５０は下層３０とおおよそ同じサイズを有する板である。中間層４０および上層５０の形状は長方形から１つの角を切り欠いた形状である。中間層４０は下層３０の底である基部３１と一定の距離を隔てて基部３１上に配置される。基部３１は長方形状の壁である。上層５０は中間層４０上に配置される。補助層６０は上層５０上に配置される。下層３０、中間層４０、および、上層５０は結合手段５００により結合される。結合手段５００の一例は２本のボルトである。結合手段を本体２０から取り外すことにより下層３０、中間層４０、および、上層５０を分離できる。このため、本体２０を各層３０、４０、５０毎に洗浄できる。補助層６０は下層３０、中間層４０、および、上層５０と結合されていない。シャッター８０は本体２０に対してスライドできるように下層３０の基部３１と中間層４０との間に配置される。シャッター８０は下層３０、中間層４０、および、上層５０とおおよそ同じサイズを有する板である。シャッター８０の形状は長方形から対角線上に位置する２つの角を切り欠いた形状である。
【００１９】
本体２０は薬４００をカップ３００に案内する複数の案内通路７０を備えている。下層３０には下層３０を貫通する複数の孔７１が形成されている。中間層４０には中間層４０を貫通する複数の孔７２が形成されている。上層５０（図６参照）には上層５０を貫通する複数の孔７３が形成されている。各孔７３には筒７５が挿入されている。筒７５内に形成された孔７５Ｃは上層５０に対する補助層６０側の空間と上層５０に対する中間層４０側の空間とを連通している。各案内通路７０は本体２０の高さ方向において対応する孔７５Ｃ、孔７２、および、孔７３により構成されている。シャッター８０にはシャッター８０を貫通する複数の孔８１が形成されている。シャッター８０は本体２０に対してスライドすることにより、複数の案内通路７０の全部を一括して開閉する。本体２０に対するシャッター８０の位置が閉位置である場合(図９参照)、シャッター８０における複数の孔８１の間の部分(以下「閉鎖部８３」)が下層３０の孔７１と中間層４０の孔７２との間に位置する。このため、案内通路７０がシャッター８０により閉じられる。本体２０に対するシャッター８０の位置が開位置である場合(図１１参照)、シャッター８０の複数の孔８１がそれぞれ対応する下層３０の孔７１と中間層４０の孔７２との間に位置する。このため、案内通路７０が開放される。シャッター８０が閉位置から開位置にスライドした場合、複数の案内通路７０が一括して開放される。シャッター８０が開位置から閉位置にスライドした場合、複数の案内通路７０が一括して閉鎖される。
【００２０】
シャッター８０の位置が閉位置の場合、筒７５の孔７５Ｃ、中間層４０の孔７２、および、シャッター８０の閉鎖部８３により収容部８４が形成される。収容部８４が形成された状態において筒７５の入口７５Ｄから案内通路７０に薬４００が投入された場合、投入された薬４００が閉鎖部８３上に乗ることにより案内通路７０に留まる。このため、薬４００がカップ３００に投入される前に薬４００の監査を実施できる。閉鎖部８３上の薬４００はシャッター８０の閉位置から開位置（図１３参照）への移動にともない自重により案内通路７０を介してカップ３００に落下する。複数の案内通路７０が一括して開放されるため、各案内通路７０に留まっていた薬４００が対応するカップ３００に一括して案内される。このため、一包化のための作業効率が向上する。
【００２１】
下層３０の詳細な構造について説明する。図３に示されるように、下層３０を構成する主要な要素は基部３１および壁部３２である。基部３１の裏面３１Ａには４つの脚３１Ｂ（図１参照）が設けられている。裏面３１Ａを基準とした脚３１Ｂの高さは、脚３１Ｂが台１００の凹部１１１に挿入された状態において、裏面３１Ａと台１００との間に隙間３１Ｃ(図８参照)が形成されるように決められている。壁部３２は基部３１の縁に設けられている。壁部３２は基部３１の短辺に沿う第１壁部３２Ａおよび第２壁部３２Ｂ、ならびに、基部３１の長辺に沿う第３壁部３２Ｃおよび第４壁部３２Ｄにより構成されている。第１壁部３２Ａの長さは基部３１の短辺よりも短い。第２壁部３２Ｂの長さは基部３１の短辺の長さと等しい。第３壁部３２Ｃの長さは基部３１の長辺の長さと等しい。第４壁部３２Ｄの長さは基部３１の長辺の長さよりも短い。第１壁部３２Ａと第３壁部３２Ｃとは第１角３５Ａを構成している。第２壁部３２Ｂと第３壁部３２Ｃとは第２角３５Ｂを構成している。第２壁部３２Ｂと第４壁部３２Ｄとは第３角３５Ｃを構成している。壁部３２における第２角３５Ｂと対角の位置には、壁部３２を構成する部分が存在しない開放部３５Ｄが形成されている。第１壁部３２Ａおよび第２壁部３２Ｂのそれぞれには取手３３が設けられている。取手３３は一包化治具１０の持ち運びに利用される。
【００２２】
図３に示されるように、本体２０は本体２０に対するシャッター８０の移動を案内するガイド９０をさらに備えている。ガイド９０は下層３０の基部３１上に設けられている。ガイド９０を構成する要素は、第１ガイド部９１、第２ガイド部９２、第３ガイド部９３、および、第４ガイド部９４である。各ガイド部９１〜９４は下層３０とは別に構成された部材である。第１ガイド部９１および第２ガイド部９２はシャッター８０よりも小型の板である。第３ガイド部９３および第４ガイド部９４は棒である。各ガイド部９１〜９４は接合手段により基部３１に接合されている。接合手段の一例は接着剤、ボルト、および、凹凸による嵌合である。各ガイド部９１〜９４を構成する材料は任意に選択できる。その一例はポリエチレンテレフタレートである。
【００２３】
第１ガイド部９１は基部３１上における第１壁部３２Ａと第３壁部３２Ｃとにより構成される第１角３５Ａ付近に設けられている。第１ガイド部９１にはガイド面９１Ａが形成されている。ガイド面９１Ａはシャッター８０と面する位置に形成されている。ガイド面９１Ａは本体２０の長辺および短辺に対して傾斜している。第２ガイド部９２は第３壁部３２Ｃと第４壁部３２Ｄとにより構成される第３角３５Ｃ付近に設けられている。第２ガイド部９２にはガイド面９２Ａが形成されている。ガイド面９２Ａはシャッター８０と面する位置に形成されている。ガイド面９２Ａは本体２０の長辺および短辺に対して傾斜している。ガイド面９１Ａとガイド面９２Ａとは平行である。第３ガイド部９３は基部３１上における第３壁部３２Ｃの中間部分と対応する位置に設けられている。第３ガイド部９３は各ガイド面９１Ａ、９２Ａと平行である。第４ガイド部９４は基部３１上における第４壁部３２Ｄの中間部分と対応する位置に設けられている。第４ガイド部９４は各ガイド面９１Ａ、９２Ａと平行である。
【００２４】
図４に示されるように、シャッター８０には、第１ガイド面９１Ａと接触する第１被ガイド面８０Ａ、第２ガイド面９２Ａと接触する第２被ガイド面８０Ｂ、第３ガイド部９３が挿入される第１溝８０Ｃ、および、第４ガイド部９４が挿入される第２溝８０Ｄが形成されている。第１溝８０Ｃの長手方向における第１溝８０Ｃの長さは、第３ガイド部９３の長手方向における第３ガイド部９３の長さよりも長い。第２溝８０Ｄの長手方向における第２溝８０Ｄの長さは、第４ガイド部９４の長手方向における第４ガイド部９４の長さよりも長い。第１溝８０Ｃの長さと第３ガイド部９３の長さとの差、および、第２溝８０Ｄの長さと第４ガイド部９４の長さとの差は、シャッター８０の位置を閉位置および開位置に変更するために本体２０に対してシャッター８０が移動する距離と等しい、または、その距離よりも長い。
【００２５】
図９に示されるように、シャッター８０が下層３０の基部３１上に配置された状態では、第１被ガイド面８０Ａと第１ガイド面９１Ａとが接触し、第２被ガイド面８０Ｂと第２ガイド面９２Ａとが接触し、第１溝８０Ｃに第３ガイド部９３が挿入され、第２溝８０Ｄに第４ガイド部９４が挿入される。本体２０の長辺方向および短辺方向の少なくとも一方に作用する成分を含む力がシャッター８０に加えられた場合、シャッター８０がガイド９０に沿って本体２０に対して斜めにスライドする。本体２０に対するシャッター８０のスライド方向が斜めであるため、案内通路７０を開閉するために必要なシャッター８０の移動量が少なくなる。
【００２６】
シャッター８０には、第１壁部３２Ａに面する第１側面８４Ａ、第１被ガイド面８０Ａ、第２壁部３２Ｂに面する第２側面８４Ｂ、第２被ガイド面８０Ｂ、第３壁部３２Ｃに面する第３側面８４Ｃ、および、第４壁部３２Ｄに面する第４側面８４Ｄが形成されている。図９に示されるように、シャッター８０の位置が閉位置である場合、シャッター８０の第２側面８４Ｂが第２壁部３２Ｂと接触し、第３側面８４Ｃが第３壁部３２Ｃと接触するため、シャッター８０が本体２０に対して開位置とは反対側に移動できない。また、シャッター８０の第１側面８４Ａと第１壁部３２Ａとの間には隙間８４ＡＸが形成され、シャッター８０の第４側面８４Ｄと第４壁部３２Ｄとの間には隙間８４ＤＸが形成される。シャッター８０のスライド方向における隙間８４ＡＸ、８４ＤＸの距離は、シャッター８０の位置を閉位置から開位置に変更するために本体２０に対してシャッター８０が移動する距離と等しい、または、その距離よりも長い。
【００２７】
図１１に示されるように、シャッター８０の位置が開位置である場合、シャッター８０の第１側面８４Ａが第１壁部３２Ａと接触し、第４側面８４Ｄが第４壁部３２Ｄと接触するため、シャッター８０が本体２０に対して閉位置とは反対側に移動できない。また、シャッター８０の第２側面８４Ｂと第２壁部３２Ｂとの間には隙間８４ＢＸが形成され、シャッター８０の第３側面８４Ｃと第３壁部３２Ｃとの間には隙間８４ＣＸが形成される。シャッター８０のスライド方向における隙間８４ＢＸ、８４ＣＸの距離は、シャッター８０の位置を開位置から閉位置に変更するために本体２０に対してシャッター８０が移動する距離と等しい、または、その距離よりも長い。
【００２８】
図４に示されるように、シャッター８０には作業者がシャッター８０の操作に利用する操作部８２が設けられている。操作部８２は作業者が指をかけることができるように構成されている。操作部８２の構成は任意に選択可能である。第１例では操作部８２はシャッター８０を貫通する孔である。第２例では、操作部８２はシャッター８０の表面に設けられる突起である。
【００２９】
図１に示されるように、一包化治具１０の平面視における中間層４０、上層５０、および、補助層６０の外郭形状は同一である。外郭形状は具体的には、長方形の４隅のうちの１箇所を長方形の長辺および短辺に対して斜めに切り欠いた形状である。図２に示されるように、中間層４０、上層５０、および、補助層６０のそれぞれにおける斜めに切りかかれた部分を切り欠き部１０Ａと称する。切り欠き部１０Ａが各層４０、５０、６０に形成されているため、平面視においてシャッター８０の一部分が切り欠き部１０Ａから各層４０、５０、６０の外側に突出している。その部分には、シャッター８０を操作するための操作部８２が形成されている。このため、作業者は操作部８２に容易に指をかけることができる。
【００３０】
図３に示されるように、下層３０は本体２０に対するシャッター８０の位置を表示する表示部３４をさらに備えている。表示部３４はシャッター８０の位置が閉位置であることを表示する閉表示部３４Ａ、および、シャッター８０の位置が開位置であることを示す開表示部３４Ｂにより構成されている。閉表示部３４Ａは基部３１における第４壁部３２Ｄよりの部分に形成されている。具体的には、シャッター８０の位置が閉位置である場合（図９参照）に、平面視においてシャッター８０の第４側面８４Ｄに隣り合う部分に形成されている。開表示部３４Ｂは基部３１における第４壁部３２Ｄよりの部分に形成されている。具体的には、シャッター８０の位置が開位置である場合（図１２参照）に、平面視においてシャッター８０の第４側面８４Ｄに隣り合う部分に形成されている。各表示部３４Ａ、３４Ｂの構成は任意に選択可能である。第１例では、各表示部３４Ａ、３４Ｂは基部３１に形成される溝である。好ましい例では、各表示部３４Ａ、３４Ｂの溝が異なる色の塗料またはインキで着色される。この場合、作業者がシャッター８０の位置をより正確に認識できる。また、塗料またはインキがシャッター８０と接触しないため、塗料またはインキが剥がれにくい。第２例では、各表示部３４Ａ、３４Ｂは基部３１に貼り付けられるシールである。好ましい例では、各表示部３４Ａ、３４Ｂに異なる色またはデザインのシールが貼り付けられる。この場合も作業者がシャッター８０の位置をより正確に認識できる。
【００３１】
図５に示されるように、孔７２の形状は２種類の弧７２Ａ、７２Ｂにより規定されている。弧７２Ａは孔７２の径方向において中心側から径方向外側に脹らんでいる。弧７２Ｂは孔７２の径方向において径方向外側から中心側に窪んでいる。弧７２Ａおよび弧７２Ｂは周方向において交互に形成されている。弧７２Ｂに代えて弧７２Ａが形成されていると仮定した場合の孔７２(以下「基準孔７２Ｘ」という)の形状は円形である。基準孔７２Ｘの直径は筒７５の孔７５Ｃの直径およびシャッター８０の孔８１の直径と同じである。シャッター８０の位置が閉位置の場合、図１０に示されるように、平面視において基準孔７２Ｘと重なるように閉鎖部８３が位置する。基準孔７２Ｘに対する閉鎖部８３の形状は２種類の弧８３Ａ、８３Ｂにより規定される。弧８３Ａは基準孔７２Ｘの径方向において中心側から径方向外側に脹らんでいる。弧８３Ｂは基準孔７２Ｘの径方向において径方向外側から中心側に窪んでいる。弧８３Ａおよび弧８３Ｂは周方向において交互に形成されている。弧８３Ａは基準孔７２Ｘの縁と重なり合う。弧８３Ｂは基準孔７２Ｘの縁よりも基準孔７２Ｘの中心側に位置する。このため、シャッター８０の位置が閉位置の場合に閉鎖部８３と基準孔７２Ｘとの間に隙間が形成される。孔７２の弧７２Ｂはこの隙間を埋めるように形成されている。弧７２Ｂが形成された孔７２によれば、シャッター８０の位置が閉位置の場合、図１０に示されるように、平面視において孔７２の弧７２Ｂと閉鎖部８３の弧８３Ｂとが重なり合う。このため、案内通路７０の全体が閉鎖部８３により閉じられる。
【００３２】
シャッター８０において隣り合う各孔８１の間隔を広げることにより、弧８３Ｂが含まれない円形の閉鎖部８３を形成することができる。ただし、一包化治具１０のサイズが大きくなる。図１等に例示される一包化治具１０では、一包化治具１０のサイズが小さくなるようにシャッター８０において隣り合う各孔８１の間隔が決められている。このサイズは一包化装置１の平面視において一包化治具１０が台１００からはみ出さないサイズである。このように一包化治具１０のサイズが決められているため、閉鎖部８３に弧８３Ｂが含まれる。この条件の元で、シャッター８０の位置が閉位置である場合にシャッター８０の閉鎖部８３により案内通路７０の全体が閉鎖されるように、中間層４０の孔７２の形状が２種類の弧７２Ａ、７２Ｂにより規定されている。このため、シャッター８０の位置が閉位置である場合に案内通路７０の入口７５Ｄから収容部８４に投入された薬４００が収容部８４からカップ３００側に漏れることが回避される。
【００３３】
図８に示されるように、各筒７５は第１筒７５Ａおよび第２筒７５Ｂにより構成されている。各筒７５Ａ、７５Ｂの構造は同じである。第１筒７５Ａは被挿入部７５ＡＸと突出部７５ＡＹに区分される。被挿入部７５ＡＸは孔７３に挿入され、上層５０と結合される。突出部７５ＡＹは上層５０の表面５０Ｂから補助層６０側に突出する。第２筒７５Ｂは被挿入部７５ＢＸと突出部７５ＢＹに区分される。被挿入部７５ＢＸは孔７３に挿入され、上層５０と結合される。突出部７５ＢＹは上層５０の裏面５０Ａから中間層４０側に突出する。本体２０に第１筒７５Ａの突出部７５ＡＹが設けられているため、案内通路７０に投入しようとした薬４００が案内通路７０から外れて補助層６０の表面６０Ａに落ちた場合にその薬４００が他の案内通路７０に入ることが回避される。
【００３４】
各筒７５Ａ、７５Ｂの容積は任意に選択できる。第１例では、各筒７５Ａ、７５Ｂの容積はカップ３００の収容部３１０の容積と等しい。この場合、収容部８４が形成された状態において、１つのカップ３００に収容する予定の全部の薬４００が案内通路７０に投入され、投入された薬４００が筒７５Ｂから溢れないことにより、その薬４００がカップ３００に投入された場合にカップ３００から溢れないことを確認できる。第２例では、各筒７５Ａ、７５Ｂの容積はカップ３００の収容部３１０の容積よりも小さい。この場合も第１例と同様に、１つのカップ３００に収容する予定の全部の薬４００がカップ３００から溢れるか否かを確認できる。第３例では、各筒７５Ａ、７５Ｂの容積はカップ３００の収容部３１０の容積よりも大きい。
【００３５】
図７に示されるように、補助層６０の隅には、結合手段５００の一例であるねじのねじ山が配置される孔６０Ｂが設けられている。補助層６０には補助層６０を貫通する複数の孔７４が形成されている。補助層６０が上層５０上に配置された状態では、複数の孔７４のそれぞれに対応する第１筒７５Ａの突出部７５ＡＹ（図８参照）が挿入される。好ましい例では、補助層６０の表面６０Ａの色は、薬４００と補助層６０との識別性が高められるように決められている。表面６０Ａの色は任意に選択可能である。その一例は黒または青である。これらの色は一般な薬４００の色とのコントラストが強くなる。このため、薬４００と補助層６０との識別性がより高められる。シャッター８０の表面８５（図４参照）の色も同様に決められている。補助層６０の表面６０Ａおよびシャッター８０の表面８５の色を決めるための方法は任意に選択できる。その一例は、補助層６０およびシャッター８０に着色する方法、または、識別性が高められる色を有する材料により補助層６０およびシャッター８０を形成する方法である。薬４００の色に応じて補助層６０の表面６０Ａの色、および、シャッター８０の表面８５の色を選択できるように、表面６０Ａ、８５の色が異なる複数種類の補助層６０およびシャッター８０を用意することもできる。
【００３６】
一包化装置１を用いた一包化方法の一例について説明する。一例では、一包化装置１が設置された薬局において薬剤師により一包化方法が実施される。一包化方法は設置工程、閉鎖工程、投入工程、監査工程、開放工程、分離工程、および、蓋取付工程を含む。
【００３７】
設置工程では、台１００の複数の穴１２１のそれぞれにカップ３００の収容部３１０が挿入される。次に、一包化治具１０が台１００上に設置される。設置工程が実施された後に閉鎖工程が実施される。閉鎖工程では、案内通路７０が閉じられるようにシャッター８０が操作される。投入工程では、複数種類の薬４００のうちの１種類の薬４００が案内通路７０の入口７５Ｄから案内通路７０に投入される。図８に示されるように、案内通路７０に投入された薬４００は孔７２を通過してシャッター８０に載る。投入工程が実施された後に監査工程が実施される。監査工程では、作業者が案内通路７０の入口７５Ｄから案内通路７０内を覗き、各案内通路７０に規定数の薬４００が存在するか否かを目視で確認する。監査工程が実施された後に開放工程が実施される。開放工程では、案内通路７０が開かれるようにシャッター８０が操作される。薬４００の種類毎に閉鎖工程、投入工程、監査工程、および、開放工程が順に実施される。全種類の薬４００について閉鎖工程、投入工程、監査工程、および、開放工程が実施された後に分離工程が実施される。分離工程では、一包化治具１０が台１００から取り外される。分離工程が実施された後に蓋取付工程が実施される。蓋取付工程では、カップ３００の開口部３１０Ａを閉じるようにカップ３００に蓋(図示略)が接合される。
【００３８】
一包化治具１０および一包化方法によれば、次のような作用および効果が得られる。カップ３００に薬４００を案内する案内通路７０が一包化治具１０に設けられるため、複数種類の薬４００をカップ３００に一包化できる。また、案内通路７０を閉じるシャッター８０が一包化治具１０に設けられるため、シャッター８０により閉じられた案内通路７０に留まる薬４００について監査を実施できる。また、１種類毎に薬４００が案内通路７０に投入されるため、薬４００の監査をより正確に実施することができる。
【００３９】
(変形例)
上記実施形態は本発明に関する一包化治具および一包化方法が取り得る形態の例示であり、その形態を制限することを意図していない。本発明に関する一包化治具および一包化方法は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００４０】
・案内通路７０の構成は任意に変更可能である。一例では、筒７５が本体２０から省略され、下層３０の孔７１、中間層４０の孔７２、および、上層５０の孔７３により案内通路７０が構成される。
【００４１】
・シャッター８０の構成は任意に変更可能である。第１例では、シャッター８０は本体２０の長辺に沿う方向にスライドできるように下層３０と中間層４０との間に配置される。この例では、第１壁部３２Ａおよび第１ガイド部９１の組、ならびに、第２壁部３２Ｂおよび第２ガイド部９２の組の少なくとも一方が本体２０から省略される。第２例では、シャッター８０は本体２０の短辺に沿う方向にスライドできるように下層３０と中間層４０との間に配置される。この例では、第３壁部３２Ｃおよび第３ガイド部９３の組、ならびに、第４壁部３２Ｄおよび第４ガイド部９４の組の少なくとも一方が本体２０から省略される。第３例では、シャッター８０は本体２０に対して回転できるように下層３０の孔７１または筒７５の孔７５Ｃに配置される。下層３０または筒７５には、孔７１または孔７５Ｃをまたぐようにシャッター８０の回転軸(図示略)が設けられる。この例では、回転軸を回転させるための操作部がさらに設けられる。好ましい例では、複数のシャッター８０を一括して操作できるように操作部が全ての回転軸に連結される。
【００４２】
・本体２０の構成は任意に変更可能である。第１例では、中間層４０、上層５０、および、補助層６０のうちの１つまたは２つが本体２０から省略される。第２例では、下層３０が省略される。この場合、ガイド９０に相当するガイドが中間層４０または台１００に設けられる。
【符号の説明】
【００４３】
１０  ：一包化治具
２０  ：本体
７０  ：案内通路
７２  ：孔
７３  ：孔
７４  ：孔
８０  ：シャッター
８２  ：操作部
８４  ：収容部
９０  ：ガイド
３００：カップ
４００：薬
【図１】
2019064713.tif 000003
【図２】
2019064713.tif 000004
【図３】
2019064713.tif 000005
【図４】
2019064713.tif 000006
【図５】
2019064713.tif 000007
【図６】
2019064713.tif 000008
【図７】
2019064713.tif 000009
【図８】
2019064713.tif 000010
【図９】
2019064713.tif 000011
【図１０】
2019064713.tif 000012
【図１１】
2019064713.tif 000013
【図１２】
2019064713.tif 000014
【図１３】
2019064713.tif 000015